(57)【要約】      （修正有）【課題】光源として列状に配置されたＬＥＤ発光体を備えた発光ユニットを使用する場合に、透明パネルに対してＬＥＤ発光体の発光方向を調整する作業が容易な発光パネルユニット、及び該ユニットを備えた玄関ドアを提供する。【解決手段】透明パネルの端部１１Ａ、１２Ａに取り付けられるとともに、互いに直交する底面部２１と立壁部２２とを有するベース部材２０Ａと、互いに直交する底板３１と立設部３２とを設け、該立設部の内面側３９が透明パネル９の室内側面１９に当接されるとともに、底板３１が底面部３２と透明パネル端部１２Ａとの間に配置されるパネル厚み調整部材３０とを具備し、発光ユニット４０Ａをその発光方向が、立壁部２２と平行となるようにベース部材２０Ａに取り付けるとともに、立壁部内面側２８を透明パネル９の室外側面１８に接着し、かつ、パネル厚み調整部材３０の底板３１の上下の面を底面部２１及び透明パネル端面１６に接着する。【選択図】図８
2006169861.tif 000002
【特許請求の範囲】
【請求項１】
矩形の透明パネルの端面のうち少なくとも一つの端面側部に設けられた光源から発光される光を受け入れる発光パネルユニットであって、
前記矩形の透明パネルと、
該透明パネルの端部に取り付けられるとともに、互いに直交する底面部と立壁部とを有するベース部材と、
互いに直交する底板と立設部とを備え、該立設部の内面側が前記透明パネルの室内側面に当接されるとともに、前記底板が前記底面部と透明パネル端部との間に配置されるパネル厚み調整部材と、
列状にＬＥＤ発光体が配置され、各ＬＥＤ発光体の発光方向が前記列に対して一定方向に揃えられている発光ユニットと、を具備し、
前記発光ユニットは前記発光方向が、前記立壁部と平行となるように前記ベース部材に取り付けられており、
前記立壁部内面側は前記透明パネルの室外側面に接着されるとともに、前記パネル厚み調整部材の底板の上下の面が前記底面部及び透明パネル端面に接着されている、
ことを特徴とする発光パネルユニット。
【請求項２】
請求項１に記載の発光パネルユニットを備えた建具。
【請求項３】
矩形の透明パネルの端面のうち、少なくとも一つの端面の側部に設けられた列状のＬＥＤ発光体を備えた発光ユニットから発光される光を受け入れる透明パネルの取り付け構造であって、
前記透明パネルの端部に取り付けられるとともに、互いに直交する底面部と立壁部とを有するベース部材と、
互いに直交する底板と立設部とを備え、該立設部の内面側が前記透明パネルの室内側面に当接されるとともに、前記底板が前記底面部と透明パネル端部との間に配置されるパネル厚み調整部材と、を具備し、
前記発光ユニットをその発光方向が、前記立壁部と平行となるように前記ベース部材に取り付けるとともに、前記立壁部内面側を前記透明パネルの室外側面に接着し、かつ、前記パネル厚み調整部材の底板の上下の面を前記底面部及び透明パネル端面に接着する、ことを特徴とする透明パネルの取り付け構造。
【発明の詳細な説明】
【技術分野】
【０００１】
本発明は、発光パネルユニット、及び、該ユニットを備えた建具に関する。
【背景技術】
【０００２】
住環境に関して、防犯性や保温性等の機能がますます重視されている一方で、意匠性についても、需要者の嗜好が多様化し、さまざまな外観を備えた建具が開発されている。特に開口部に取り付けられるガラスパネルは、室外側からも室内側からもデザイン上のポイントとなることが多いため、そのデザインについて工夫が凝らされたものが多い。これまで、ガラスパネルの光透過性を利用して、光源と組み合わせることにより、多様なデザインの建具が作製されている。
【０００３】
例えば、特許文献１には、透光体を有する基板に照明器具及び該照明器具の自動点滅器を具備してなる採光パネルが開示されている。また、特許文献２には、ドア枠体と表パネルとで本体を形成し、ドア枠体の下面が開口した上枠内に棒状の蛍光灯のような照明器具を配設するとともに表パネル又は裏パネルの少なくとも一方を透光板にて形成してなる照明内蔵玄関ドア、が開示されている。
【０００４】
これら特許文献１及び２に開示されている採光パネル、玄関ドアは蛍光灯等の従来からある光源を使用している。近年、ＬＥＤ発光体（発光ダイオード）が経済的なコストで入手可能になり、その色も赤、青、白色光など、各種のものが実現されてきている。ＬＥＤ発光体を光源としたものとしては特許文献３に、広告表示面を枠体の内側に装着若しくは表示加工し装備した玄関建具又は立体広告体からなる立体構造枠体の内部にＬＥＤ発光体光源を多数個設置してなることを特徴とする内照式広告表示体が開示されている。
【特許文献１】実開昭４９−９９０７７号公報
【特許文献２】実開昭５６−１５３５９６号公報
【特許文献３】特開２００１−１４２４１７号公報
【発明の開示】
【発明が解決しようとする課題】
【０００５】
従来の蛍光灯などの光源は寿命が短く、また使用電力が多いという問題があった。これらの欠点がないＬＥＤ発光体を光源とした場合、ＬＥＤ発光体は発光方向が一定の向きに揃えられているため、ガラスパネル内に光を満遍なく且つ広い面積に透過させるためには、ガラスパネルに対してＬＥＤ発光体の発光方向を調整するという煩雑な作業を行う必要があった。
【０００６】
そこで、本発明は、光源として列状に配置されたＬＥＤ発光体を備えた発光ユニットを使用する場合に、透明パネルに対してＬＥＤ発光体の発光方向を調整する作業が容易な発光パネルユニット、及び、該ユニットを備えた建具を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１の発明は、矩形の透明パネル（９、１０）の端面のうち少なくとも一つの端面（１５、１６）側部に設けられた光源から発光される光を受け入れる発光パネルユニット（１００）であって、矩形の透明パネル（９、１０）と、該透明パネルの端部（１１Ａ、１２Ａ）に取り付けられるとともに、互いに直交する底面部（２１）と立壁部（２２）とを有するベース部材（２０Ａ）と、互いに直交する底板（３１）と立設部（３２）とを備え、該立設部の内面側（３９）が透明パネル（９）の室内側面（１９）に当接されるとともに、底板（３１）が底面部（２１）と透明パネル端部（１２Ａ）との間に配置されるパネル厚み調整部材（３０）と、列状にＬＥＤ発光体（４１ａ、４１ｂ、…）が配置され、各ＬＥＤ発光体の発光方向が列に対して一定方向に揃えられている発光ユニット（４０Ａ）とを具備し、発光ユニット（４０Ａ）は発光方向が立壁部（２２）と平行となるようにベース部材（２０Ａ）に取り付けられており、立壁部内面側（２８）は透明パネル（９）の室外側面（１８）に接着されるとともに、パネル厚み調整部材（３０）の底板（３１）の上下の面が底面部（２１）及び透明パネル端面（１６）に接着されている、ことを特徴とする発光パネルユニット（１００）により前記課題を解決する。
【０００９】
請求項２の発明は、請求項１に記載の発光パネルユニット（１００）を袖部に備えた、建具（２００）である。
【００１０】
請求項３の発明は、矩形の透明パネル（９、１０）の端面のうち、少なくとも一つの端面（１５、１６）の側部に設けられた列状のＬＥＤ発光体（４１ａ、４１ｂ、…）を備えた発光ユニット（４０Ａ）から発光される光を受け入れる透明パネル（９）の取り付け構造であって、透明パネルの端部（１１Ａ、１２Ａ）に取り付けられるとともに、互いに直交する底面部（２１）と立壁部（２２）とを有するベース部材（２０Ａ）と、互いに直交する底板（３１）と立設部（３２）とを備え、該立設部の内面側（３９）が透明パネル（９）の室内側面（１９）に当接されるとともに、底板（３１）が底面部（３２）と透明パネル端部（１２Ａ）との間に配置されるパネル厚み調整部材（３０）とを具備し、発光ユニット（４０Ａ）をその発光方向が、立壁部（２２）と平行となるようにベース部材（２０Ａ）に取り付けるとともに、立壁部内面側（２８）を透明パネル（９）の室外側面（１８）に接着し、かつ、パネル厚み調整部材（３０）の底板（３１）の上下の面を底面部（２１）及び透明パネル端面（１６）に接着することを特徴とする透明パネル（９、１０）の取り付け構造である。
【発明の効果】
【００１１】
請求項１に記載の発明によれば、底面部と立壁部とが直交するように形成されたベース部材の立壁部の内面側が透明パネルの室外側面に接着されているので、ベース部材に発光の方向が立壁部に平行となるように取り付けられた発光ユニットの各ＬＥＤ発光体から発光される光は、透明パネルの端面に対して垂直方向に入射される。透明パネルの端面に対して垂直方向に入射された光は、透明パネル内を直進し、あるいは透明パネルと空気との界面で全反射されて、透明パネル内にとどまる。よって、縦壁を透明パネルの側面に位置合わせするだけで、ＬＥＤ発光体から発光された光を、透明パネル内に満遍なく且つ広い面積に透過させることができる。
【００１２】
また、透明パネル室内側面に当接される立設部を有するパネル厚み調整部材は、ベース部材とは別体に形成されており、ベース部材の底面部上にパネル厚み調整部材の底板が載置される構造となっているため、透明パネルの厚みが、パネルの種類や、ロットの違いにより変化しても、ベース部材上のパネル厚み調整部材をパネル厚み方向に位置をずらせることにより、対応することが可能である。
【００１３】
請求項２に記載の発明によれば、請求項１に記載の発光パネルユニットの特徴を備えた建具を構成することができる。
【００１４】
請求項３に記載の発明によれば、底面部と立壁部とが直交するように形成されたベース部材の立壁部の内面側が透明パネルの室外側面に接着されているので、ベース部材に発光の方向が立壁部に平行となるように取り付けられた発光ユニットの各ＬＥＤ発光体から発光される光は、透明パネルの端面に対して垂直方向に入射される。透明パネルの端面に対して垂直方向に入射された光は、透明パネル内を直進し、あるいは透明パネルと空気との界面で全反射されて、透明パネル内にとどまる。よって、縦壁を透明パネルの側面に位置合わせするだけで、ＬＥＤ発光体から発光された光を、透明パネル内に満遍なく且つ広い面積に透過させる透明パネルの取り付け構造を実現することができる。
【００１５】
また、透明パネル室内側面に当接される立設部を有するパネル厚み調整部材は、ベース部材とは別体に形成されており、ベース部材の底面部上にパネル厚み調整部材の底板が載置される構造となっているため、透明パネルの厚みが、パネルの種類や、ロットの違いにより変化しても、ベース部材上のパネル厚み調整部材をパネル厚み方向に位置をずらせることにより、対応することが可能である透明パネルの取り付け構造を実現することができる。
【００１６】
本発明のこのような作用及び利得は、次に説明する発明を実施するための最良の形態から明らかにされる。
【発明を実施するための最良の形態】
【００１７】
以下本発明を図面に示す実施形態に基づき説明する。
【００１８】
図１は、発光パネルユニットを袖部に備えた玄関ドアユニットを室外側の視点から示す正面図である。図示の玄関ドアユニット２００は、四辺の枠２０１、２０２、２０３、及び２０４内に、中縦枠２２０を挟むように扉１１０と、発光パネルユニット１００とを備えている。
【００１９】
右縦枠２０２と扉１１０との間には不図示の蝶番が上下２箇所に取り付けられており、扉１１０は、この蝶番により、室外側（紙面手前側）に開閉可能とされている。なお、扉１１０の開閉を円滑なものとすべく、右縦枠２０２と扉１１０との間の上端部にドアクローザを設けてもよい。
【００２０】
発光パネルユニット１００は、その周囲の枠２１０、２２０、２３０、及び２４０の内部にガラスパネル９、１０（ガラスパネル１０は室内側に配されているため図１には表されていない。例えば図７、図８を参照されたい。）が備えられている。ガラスパネル９の上下の端面のさらに上方、下方には光源が配置されている。該光源によりガラスパネルが室内側からも室外側からも明るく光り、玄関ドアユニット２００の意匠性を高めている。これについては後に詳しく説明する。
【００２１】
図２は、図１の玄関ドアユニット２００の袖部の垂直断面図である。図２においては、図面左側が室外側、右側が室内側を表している。
【００２２】
上下に配置された玄関ドアユニットの枠２０１、２０３には、固定金具２５５、２５６により、発光パネルユニットの上枠２１０、及び下枠２３０が取り付けられている。基本的には発光パネルユニット１００は、玄関ドアユニット２００の下枠２０３上に、基台２６０を介して下枠２３０が載置されて固定されている。さらに上枠２１０に取り付けられたビード２５１、及び２５２、並びに下枠２３０に取り付けられたビード２５３、及び２５４により、発光パネルユニット１００が室内外方向に固定されている。同様に縦枠のタテ方向にもビードで固定されている。
【００２３】
図３は、図１の玄関ドアユニット２００の水平断面図である。図３においては、図面上側が室外側、下側が室内側を表している。玄関ドアユニット２００の左縦枠２０２と、右縦枠２０４の中間部には中縦枠２２０が設けられている。左縦枠２０２と中縦枠２２０との間には扉１１０が配置されている。扉１１０は、左縦枠２０２との間に取り付けられた不図示の蝶番を支点として、紙面上方へと回動され、扉の開閉動作が行われる。中間枠２２０と右縦枠２０４との間には、発光パネルユニット１００が配置されている。
【００２４】
図４は、発光パネルユニット１００を室外側から示す正面図である。図示の発光パネルユニット１００は、室外側ガラスパネル９の周囲が封止材６０により覆われている。ガラスパネル９の上端の上方には上部発光ユニット４０Ｂが、下端の下方には下部発光ユニット４０Ａが配置されている。各発光ユニット４０Ａ、４０Ｂは、ガラスパネル９の上下の端部が延在する方向に多数のＬＥＤ発光体（発光ダイオード）４１ａ、４１ｂ、…が配置されている。
【００２５】
本発明において、発光源としてＬＥＤ発光体を使用するが、その発光色は特に限定されるものではない。意匠上の観点や、需要者の嗜好に合わせて、白色、赤、青、黄、緑などさまざまな発光色を採用可能である。また、複数の色を同時に使用してもよい。ＬＥＤ発光体は従来発光源として用いられてきたハロゲンランプや蛍光灯と比較した場合、コンパクト、軽量、省電力、長寿命、点灯回路等を必要としない等の長所を有している。
【００２６】
図５は、図４の発光パネルユニット１００の平面図である。図５においては、図面下側が室外側、上側が室内側を表している。また、図６は、図４の発光パネルユニット１００の下面図である。図６においては、図面上側が室外側、下側が室内側を表している。図示の発光パネルユニット１００は、室内側ガラスパネル１０と室外側ガラスパネル９とにより複層ガラスパネルとして構成されている。前記したように室外側ガラスパネル９の上端上方、及び下端下方にはそれぞれ上部発光ユニット４０Ｂ、下部発光ユニット４０Ａが配置されている。
【００２７】
図７は、図４の発光パネルユニット１００の垂直断面図である。図７においては、図面左側が室外側、右側が室内側を表している。室外側ガラスパネル９、室内側ガラスパネル１０の上下の端部１１Ａ、１１Ｂ；１２Ａ、１２Ｂには、それぞれ上部ベース部材２０Ｂ、及び下部ベース部材２０Ａが取り付けられている。また、前記した上下の各発光ユニット４０Ｂ、４０Ａは、それぞれ上部ベース部材２０Ｂ、下部ベース部材２０Ａに取り付けられている。これら、各ガラスパネルと各ベース部材、及び各発光ユニットの配設構造に本発明の特徴的部分が存在する。なお、上下の各配設構造は、上下の位置を反転させれば同一となるので、以下においては下部側についてのみ説明する。
【００２８】
図８は、図７における円形のＡ部に囲まれた範囲を拡大して示す図である。図８においては、図面左側が室外側、右側が室内側を表している。図示の発光パネルユニット１００は、室外側ガラスパネル９と室内側ガラスパネル１０とを備え、これら両ガラスパネル９、１０は、スペーサー５０により所定の間隔が保たれている。スペーサー５０は、２枚のガラスパネル９、１０の間の下端をシールするシール材５２と、シール材により密封された両ガラス間の空気層に含まれる水分により発生する結露を未然に防止するための吸湿材５１とを備えている。室内側ガラスパネル１０は、室外側から順に、すりガラス層１０Ａ、透明接着フィルム層１０Ｂ、及び通常のガラス層１０Ｃの３層構造となっており、防犯性が高められている。
【００２９】
両ガラスパネル９、１０の端部１１Ａ、１２Ａには、ベース部材２０Ａが取り付けられている。ベース部材２０Ａは、互いに直交する底面部２１と立壁部２２とを有している。また、ベース部材２０Ａの底面部２１と、室内側ガラスパネル１０の下端部１２Ａとの間にはパネル厚み調整部材３０が配されている。パネル厚み調整部材３０は、互いに直交する底板３１と立設部３２とを備えている。該立設部３２の内面側３９が室内側ガラスパネル１０の室内側面１９に当接されている。ベース部材２０Ａの底面部２１と室内側ガラスパネル１０の下端部１２Ａとの間に配置されるのは、パネル厚み調整部材３０の底板３１である。
【００３０】
一方、室外側ガラスパネル９の下端部１１Ａの下方には、発光ユニット４０Ａがベース部材２０Ａの底面部２１に取り付けられている。発光ユニット４０Ａには、列状にＬＥＤ発光体４１ａ、４１ｂ、…が配置されている。また、発光ユニット４０Ａは、各ＬＥＤ発光体の発光方向が、室外側ガラスパネル９の下端面１５に略直交する方向に入射するように、ベースユニット２０Ａに取り付けられている。かかる構成を実現するため、ＬＥＤ発光体４１ａ、４１ｂ、…が列状に台座４３上に配設されている。さらに、台座４３は、ベース部材２０Ａの底面部２１上に載置され、台座４３は固定材４４により、ベース部材２０Ａに固定されている。
【００３１】
立壁部２２の内面側２８は室外側ガラスパネル９の室外側面１８に、接着層２７を介して接着されている。パネル厚み調整部材３０の底板３１の上面は、室内側ガラスパネル１０の下端面１６に接着剤層１７を介して接合されている。また、底板３１の下面側は、両面テープ７０を介してベース部材２０Ａの底面部２１の上面側に接着されている。
【００３２】
ベース部材２０Ａの下面側には、４条の溝２３〜２６が形成されている。溝２３〜２６を形成することにより、ベース部材２０Ａの表面積が増大して、ＬＥＤ発光体４１ａ、４１ｂ、４１ｃ、…からの発熱を容易に放熱することが可能となる。
【００３３】
次に、ガラスパネル９、１０端面１５、１６へのベース部材２０Ａの取り付け方について、図８を参照しつつ簡単に説明する。まず、ガラスパネル１０の下側端面１６、及びスペーサー５０の下面にブチルテープ等の接着層１７を形成し、そこにパネル厚み調整部材３０を貼り付ける。さらにパネル厚み調整部材３０の底板３１の下面に両面テープ７０を貼付する。このときパネル厚み調整部材３０の立設部３２の内面側３９が、室内側ガラスパネル１０の室内側面１９に当接されるように位置決めする。一方、発光ユニット４０Ａを所定位置に取り付けたベース部材２０Ａの縦壁部２２内面側２８に接着層２７を形成する。そしてベース部材２０Ａの底面部２１上面側をパネル厚み調整部材３０の底板３１下面側に貼付された両面テープ７０に圧着する。その一方で、ベース部材２０Ａの立壁部２２の内面側２８に形成された接着層２７をガラスパネル９の室外側面１８に圧着する。かくして、ガラスパネル９、１０にベース部材２０Ａが取り付けられて、ガラスパネル９と、発光ユニット４０Ａとの位置関係が一意に決せられる。
【００３４】
上記のような構成をとることにより、底面部２１と立壁部２２とが直交するように形成されたベース部材２０Ａの立壁部２２の内面側２８が室外側ガラスパネル９の室外側面１８に接着されているので、ベース部材２０Ａに発光の方向が立壁部２２に平行となるように取り付けられた発光ユニット４０Ａの各ＬＥＤ発光体４１ａ、４１ｂ、４１ｃ、…から発光される光は、室外側ガラスパネル９の端面１５に対して垂直方向に入射される。室外側ガラスパネル９の端面１５に対して垂直方向に入射された光は、ガラスパネル９内を直進し、あるいはガラスパネル９と空気との界面で全反射されて、ガラスパネル９内にとどまりやすい。よって、縦壁２２をガラスパネル９の側面１８に位置合わせするだけで、ＬＥＤ発光体４１ａ、４１ｂ、４１ｃ、…から発光された光を、ガラスパネル９内に満遍なく且つ広い面積に透過させることができる。
【００３５】
また、室内側ガラスパネル１０の室内側面１９に当接される立設部３２を有するパネル厚み調整部材３０は、ベース部材２０Ａとは別体に形成されており、ベース部材２０Ａの底面部２１上にパネル厚み調整部材３０の底板３１が載置される構造となっているため、複層ガラスパネル全体の厚みが、パネルの種類や、ロットの違いにより変化しても、ベース部材２０Ａ上のパネル厚み調整部材３０をガラス厚み方向に位置をずらせることにより、対応することが可能である。
【００３６】
図９は、ＬＥＤ発光体から発光された光が、ガラスパネル内を透過する状況を示す図である。（Ａ）は本発明の一態様を表しており、発光ユニット４０Ａの各ＬＥＤ発光体４１ａ、４１ｂ、４１ｃ、…から発光される光Ｌ１、Ｌ２、Ｌ３は、室外側ガラスパネル９の端面１５に対して略垂直方向に入射されている。かかる場合においては、ガラスパネル内に入射された光は、ガラスパネル内を直進し（Ｌ３）、あるいは、ガラスと空気との界面に達したものは、スネルの法則に基づきガラスパネル内に全反射されて（Ｌ１、Ｌ２）、ガラスパネル内部にとどまりやすく、広い面積にわたってガラスパネルを明るく輝かせることができる。
【００３７】
一方、（Ｂ）にあるように、発光ユニット４０Ａが、傾斜して取り付けられた場合には、例えば図中Ｌ５で示される光は、ガラスと空気との界面に対して比較的急角度であるので、スネルの法則に従って、空気層側に射出される場合が多くなり、ガラスパネルが明るく輝く部分の面積が小さくなる傾向がある。
【００３８】
本発明において、ベース部材、パネル厚み調整部材を形成する材料は、特に限定されるものではないが、ベース部材としては、アルミニウム押し出し材が、強度、コストや製造が容易であるという観点から好ましい。また、パネル厚み調整部材を形成する材料としては、他の材料との接着性や、衝撃吸収性、弾性を有するとの観点から、硬質ゴムや、樹脂中にゴムを配合したものを使用することが好ましい。
【００３９】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う発光パネルユニット、及び、該ユニットを備えた建具、並びに透明パネルの取り付け構造もまた本発明の技術的範囲に包含されるものとして理解されなければならない。例えば以下に記載する変形例も本発明の技術的範囲に包含されるものである。
【００４０】
（変形例）
（１）上記実施形態においては、発光パネルユニットを玄関ユニットの袖部に取り付けた例について説明したが、本発明の発光パネルユニットを取り付ける建具としてはこれに限定されるものではなく、例えば、窓やドア等にも適用することが可能である。
（２）透明パネルの材料として、ガラスを使用したものを説明したが、例えば、ポリスチレン、ポリカーボネート、アクリル、ポリエチレンテレフタレート等の光を透過する性質を持つ樹脂材料を単独で、あるいは組み合わせて使用しても良い。
（３）ガラスパネルの例として、複層ガラスパネルを挙げたが、単層ガラスパネルであっても良い。
（４）発光ユニットをパネルの上下に配置した例について説明したが、上又は下の一方のみでも良い。またパネルの左右両側に発光ユニットを配置してよい。
【図面の簡単な説明】
【００４１】
【図１】発光パネルユニットを袖部に備えた玄関ドアユニットを示す正面図である。
【図２】図１の玄関ドアユニットの袖部の垂直断面図である。
【図３】図１の玄関ドアユニットの水平断面図である。
【図４】発光パネルユニットを示す正面図である。
【図５】図４の発光パネルユニットの平面図である。
【図６】図４の発光パネルユニットの下面図である。
【図７】図４の発光パネルユニットの垂直断面図である。
【図８】図７における円形のＡ部に囲まれた範囲を拡大して示す図である。
【図９】ＬＥＤ発光体から発光された光が、ガラスパネル内を透過する状況を示す図である。
【符号の説明】
【００４２】
Ｌ１、Ｌ２、Ｌ３、Ｌ４、Ｌ５  光路
９、１０  ガラスパネル（透明パネル）
１０Ａ  すりガラス層
１０Ｂ  透明接着樹脂層
１０Ｃ  普通のガラス層
１１Ａ、１１Ｂ、１２Ａ、１２Ｂ  端部
１５、１６  端面
１７  接着層
１８  室外側面
１９  室内側面
２０Ａ、２０Ｂ  ベース部材
２１  底面部
２２  立壁部
２３、２４、２５、２６  溝
２７  接着層
２８  内面側
３０  パネル厚み調整部材
３１  底板
３２  立設部
３９  内面側
４０Ａ、４０Ｂ  発光ユニット
４１ａ、４１ｂ、４１ｃ、…  ＬＥＤ発光体
４２  金属カップ
４３  台座
４４  固定材
５０  スペーサー
５１  吸湿材
５２  シール材
６０  封止材
７０  両面テープ  
１００  発光パネルユニット（発光パネルユニット）
１１０  扉
２００  玄関ドアユニット
２０１  上枠
２０２  右縦枠
２０３  下枠
２０４  左縦枠
２１０  上枠
２２０  中縦枠
２３０  下枠
２４０  左縦枠
２５１、２５２、２５３、２５４  ビード
２５５、２５６  固定金具
２６０  基台
【図１】
2006169861.tif 000003
【図２】
2006169861.tif 000004
【図３】
2006169861.tif 000005
【図４】
2006169861.tif 000006
【図５】
2006169861.tif 000007
【図６】
2006169861.tif 000008
【図７】
2006169861.tif 000009
【図８】
2006169861.tif 000010
【図９】
2006169861.tif 000011